(57)【要約】【課題】使用時の内容物の注出状態を改善することで、液垂れを防止する液垂れ防止機能付口栓を提供する。【解決手段】液体用紙容器20の注出位置に突設するスパウト100 とこのスパウトに螺着する天板210 下にパッキン30を係着するキャップ200 とからなり、スパウトが、下端外周面にフランジ130 を周設する環状台座部110 上に注出筒120 を立設し、この注出筒の内面に、上端が注出筒の天面水平位置で下端を環状台座の内側に突出する水平断面形状が半円形状の空気導入筒140 を、周方向へ等間隔で複数箇所に付設する。【選択図】図１
2005112445.tif 000002
【特許請求の範囲】
【請求項１】
液体用紙容器の注出位置に突設するスパウトと該スパウトに螺着する天板下にパッキンを係着するキャップとからなり、前記スパウトが、下端外周面にフランジを周設する環状台座部上に注出筒を立設し、該注出筒の内面に、上端が前記注出筒の天面水平位置で下端を前記環状台座の内側に突出する水平断面形状が半円形状の空気導入筒を、周方向へ等間隔で複数箇所に付設したことを特徴とする液垂れ防止機能付口栓。
【請求項２】
前記注出筒の内周半径をＲ1 とし、前記空気導入筒の内周半径をＲ2 としすると、少なくともＲ1 ＝Ｒ2 ×１．５〜Ｒ2 ×４．０を満足することを特徴とする請求項１記載の液垂れ防止機能付口栓。
【請求項３】
前記注出筒の内面に空気導入筒を付設する箇所が、少なくとも３箇所以上であることを特徴とする請求項１乃至請求項２記載の液垂れ防止機能付口栓。
【請求項４】
前記環状台座部の内側高さを少なくとも１．０ｍｍ以上にしたことを特徴とする請求項１乃至請求項３記載の液垂れ防止機能付口栓。
【発明の詳細な説明】
【技術分野】
【０００１】
本発明は、液体内容物に使用される液体用紙容器の注出位置に突設されるスパウトとこのスパウトに螺着するキャップとから構成される液垂れ防止機能付口栓に関するものである。
【背景技術】
【０００２】
従来、食品、トイレタリー、化学薬品などに使用される液体用紙容器（２０）は、例えば図３に示すように、四角筒状の胴部（２１）の切り妻屋根形の頂部傾斜板（２２）に、スパウト（１００）（注出口具）にキャップ（２００）が螺着した口栓（１０）が突設されたものが、使用時の便利性を考慮して、広い用途範囲にわたって使用されていた。この口栓（１０）の構造は、例えば図２（ａ）及び（ｂ）に示すように、スパウト（１００）とキャップ（２００）とパッキン（３０）とから構成され、スパウトは、下端外周面にフランジ（１３０）を設けた環状台座部（１１０）上に外周面に雄ねじ（１２１）を設けた注出筒（１２０）を立設し、キャップは、天板（２１０）と内周面に雌ねじ（２２１）を設けた周壁（２２０）とからなり、液体用紙容器（２０）の注出位置（２３）に、フランジの上面を容器内面に熱融着して突設するスパウトの注出筒に、天板（２１０）下にパッキンを係着リングを設けて係着したキャップを螺着するものであった。そして、内容物を注出するときは、スパウトの注出筒からキャップを螺脱し、容器を傾斜させて注出筒の先端開口部から内容物を注出していた。
【発明の開示】
【発明が解決しようとする課題】
【０００３】
しかしながら、上述の従来の口栓においては、小口径の口栓の場合や内容物が少なくなったとき、または、内容物の粘度によっては、注出筒の外周面へ内容物が液垂れすることがあった。
【０００４】
本発明は、上述の従来の口栓の問題点を解決したものであり、使用時の内容物の注出状態を改善することで液垂れを防止する液垂れ防止機能付口栓を提供するものである。
【課題を解決するための手段】
【０００５】
すなわち、本発明の第１の発明は、液体用紙容器の注出位置に突設するスパウトとこのスパウトに螺着する天板下にパッキンを係着するキャップとからなり、前記スパウトが、下端外周面にフランジを周設する環状台座部上に注出筒を立設し、この注出筒の内面に、上端が前記注出筒の天面水平位置で下端を前記環状台座の内側に突出する水平断面形状が半円形状の空気導入筒を、周方向へ等間隔で複数箇所に付設したことを特徴とする液垂れ防止機能付口栓である。
【０００６】
次に、本発明の第２の発明は、前記注出筒の内周半径をＲ1 とし、前記空気導入筒の内周半径をＲ2 としすると、少なくともＲ1 ＝Ｒ2 ×１．５〜Ｒ2 ×４．０を満足することを特徴とする第１の発明に記載の液垂れ防止機能付口栓である。
【０００７】
次に、本発明の第３の発明は、前記注出筒の内面に空気導入筒を付設する箇所が、少なくとも３箇所以上であることを特徴とする第１乃至第２の発明に記載の液垂れ防止機能付口栓である。
【０００８】
そして、本発明の第４の発明は、前記環状台座部の内側高さを少なくとも１．０ｍｍ以上にしたことを特徴とする第１乃至第３の発明に記載の液垂れ防止機能付口栓である。
【発明の効果】
【０００９】
本発明の液垂れ防止機能付口栓は、注出筒の内面に、上端が注出筒の天面水平位置で下端を環状台座の内側に突出する水平断面形状が半円形状の空気導入筒を、周方向へ等間隔で複数箇所に付設するものであり、また、注出筒の内周半径と空気導入筒の内周半径の寸法、空気導入筒の数、環状台座部の内側高さに規制があり、この結果、キャップをスパウトから螺脱し、容器を傾斜させて内容物を注出筒の先端開口部から注出するときに、いずれかの空気導入筒から空気が良好に導入され、内容物の注出状態が良好となって液垂れが防止される。
【発明を実施するための最良の形態】
【００１０】
次に、本発明の液垂れ防止機能付口栓の一実施形態について、図を用いて詳細に説明する。
【００１１】
図１（ａ）は、本実施形態の液垂れ防止機能付口栓の断面図であり、図１（ｂ）は、そのスパウトの平面図である。図３は、口栓を頂部傾斜板に突設する一例の液体用紙容器の斜視図である。
【００１２】
本実施形態の液垂れ防止機能付口栓（１０）は、図１（ａ）に示すように、液体用紙容器（２０）の注出位置（２３）に突設するスパウト（１００）とこのスパウトに螺着する天板（２１０）下にパッキン（３０）を係着リング（２２２）を設けて係着するキャップ（２００）とからなり、スパウト及びキャップは、ポリエチレンやポリプロピレンなどの熱可塑性樹脂を用いて、射出成形法により作製するものである。
【００１３】
本実施形態のスパウト（１００）の構造は、図１（ａ）及び（ｂ）に示すように、環状台座部（１１０）の下端外周面に、上面を液体用紙容器（２０）の内面に超音波シール法などにより熱融着するフランジ（１３０）を周設し、環状台座部の上面に注出筒（１２０）を立設し、この注出筒の外周面にスパウトとの雄ねじ（１２１）を設け、注出筒の内面に、上端が注出筒の天面水平位置で下端を環状台座の内側に突出する水平断面形状が半円形状の空気導入筒（１４０）を、周方向へ等間隔で複数箇所に付設するものである。
【００１４】
そして、図１（ｂ）に示すように、注出筒（１２０）の内周半径をＲ1 とし、空気導入筒（１４０）の内周半径をＲ2 としすると、少なくともＲ1 ＝Ｒ2 ×１．５〜Ｒ2 ×４．０を満足するように設計するものであり、望ましくは、Ｒ1 ＝Ｒ2 ×２．０〜Ｒ2 ×３．０を満足するように設計するものである。なお、注出筒の内周半径をＲ1 は、内容物の粘度が高いほど、また、注出量が多いほど大きくする必要があり、空気導入筒の内周半径をＲ2 も、内容物の粘度が高いほど大きくする必要があるが、内容物が入り込んでも詰まってしまわないように設計するものである。
【００１５】
また、注出筒（１２０）の内面に空気導入筒（１４０）を付設する箇所は、少なくとも３箇所以上に設けるものであるが、望ましくは、図１（ｂ）に示すように、４箇所に設けるものである。なお、２箇所では、容器を傾斜させて内容物を注出筒の先端開口部から注出するときに、２箇所の空気導入筒が内容物で塞がれて、空気を良好に導入しにくいことが発生して、良好な注出状態が得られない場合がある。
【００１６】
また、環状台座部の内側高さは、容器を傾斜させて内容物を注出筒の先端開口部から注出するときに、空気を導入する空気導入筒の下端から内容物が侵入しないように少なくとも１．０ｍｍ以上に設計するものであるが、望ましくは、２．５ｍｍ以上に設計するものである。
【産業上の利用可能性】
【００１７】
本発明の液垂れ防止機能付口栓のスパウトの構造は、液体用紙容器の口栓に限ることなく、胴部を押し潰して内容物を口部から押し出すことがない剛性を有する容器の口部にも適用することが可能である。
【図面の簡単な説明】
【００１８】
【図１】（ａ）は、本発明の一実施形態の液垂れ防止機能付口栓の断面図であり、（ｂ）は、そのスパウトの平面図である。
【図２】（ａ）は、従来の一例の液体用紙容器に用いる口栓の断面図であり、（ｂ）は、そのスパウトの平面図である。
【図３】口栓を頂部傾斜板に突設する一例の液体用紙容器の斜視図である。
【符号の説明】
【００１９】
１０……口栓
２０……液体用紙容器
２１……胴部
２２……頂部傾斜板
２３……注出位置
３０……パッキン
１００……スパウト
１１０……環状台座部
１２０……注出筒
１２１……雄ねじ
１３０……フランジ
１４０……空気導入筒
２００……キャップ
２１０……天板
２２０……周壁
２２１……雌ねじ
２２２……係着リング
【図１】
2005112445.tif 000003
【図２】
2005112445.tif 000004
【図３】
2005112445.tif 000005